(57)【要約】【課題】スーパーマーケット、ホームセンター、ドラッグストアやコンビニエンスストア等の店舗で種々の商品の陳列を行うための陳列棚おいて、左右の支柱の下部から前方向又は前後両方向に向かって延設される脚の上面に架設されるステージ棚板を、前後方向及び左右方向に移動しないように設置可能な陳列棚を提供すること。【解決手段】陳列棚１００の左右下部から前方向若しくは前後両方向に延設される脚１１０の端部に取着される脚キャップ１２０の上端に、脚キャップ１２０を脚１１０の端部に取着した状態で脚１１０の上面より突出する突出凹部１２１を形成するとともに、ステージ棚板１３０の側壁部１３０ａに、下端から上方に向かって切り欠かれてなる係合溝１３１を形成し、係合溝１３１と突出凹部１２１とを係合させて、ステージ棚板１３０を脚１１０の上面間に架設する。【選択図】  図２
2005046250.tif 000002
【特許請求の範囲】
【請求項１】
左右に立設される支柱の下部から前方向若しくは前後両方向に延設される一対の脚と、
物品が載置される載置面部及び該載置面部の左右側辺から下方に垂設される側壁部を有し、前記一対の脚の上面の間に架設されるステージ棚板と、
前記脚の端部に取着される脚キャップとを備える陳列棚であって、
前記ステージ棚板の左右の側壁部には、下端から上方に向かって切り欠かれてなる係合溝が形成され、
前記脚キャップの上端には、該脚キャップを前記脚の端部に取着した状態で、前記脚の上面より突出し、前記係合溝と係合する突出凹部が形成されていることを特徴とする陳列棚。
【請求項２】
脚の端部近傍の上面及び下面にそれぞれ第一係合孔及び第二係合孔を穿設し、脚キャップの下端に係止片を形成して、
前記第一係合孔に前記脚キャップの上端に形成される突出凹部を係合するとともに、前記第二係合孔に前記係止片を係合することにより、前記脚キャップを前記脚の端部に取着するようにしたことを特徴とする請求項１に記載の陳列棚。
【請求項３】
脚キャップは、ステージ棚板を脚の上面間に架設しない場合おいて、突出凹部が前記脚の上面より突出しないよう上下を逆にして前記脚の端部に取着されることを特徴とする請求項１に記載の陳列棚。
【請求項４】
脚の端部近傍の上面及び下面に、それぞれ第一係合孔及び第二係合孔を穿設し、脚キャップの下端に係止片を形成して、
前記第一係合孔と前記第二係合孔の何れか一方に脚キャップの上端に形成される突出凹部を係合させ、他方に前記係止片を係合させることにより、前記脚キャップを、上下逆にして前記脚の端部に選択的に取着するようにしたことを特徴とする請求項３に記載の陳列棚。
【請求項５】
脚キャップの前面には、キックプレートを取り付けるためのキックプレート係止部が形成されていることを特徴とする請求項１から４のいずれかに記載の陳列棚。
【発明の詳細な説明】
【０００１】
【発明の属する技術分野】
本発明は、スーパーマーケット、ホームセンター、ドラッグストアやコンビニエンスストア等の店舗において、種々の商品が陳列される陳列棚に関するものであり、さらに詳しくは、左右下部から前方向又は前後両方向に向かって延設される脚の上面間にステージ棚板が架設されてなる陳列棚に関するものである。
【０００２】
【従来の技術】
従来、商品を陳列するために用いられる陳列棚としては、図９に示すような、左右に立設される一対の支柱１０１、１０１と、これら左右の支柱１０１、１０１の下部から前方向に向かって延設される脚１１０、１１０とを有して、左右の支柱１０１、１０１の前面側に棚板１４０を多段に取り付けるとともに、左右一対の脚１１０、１１０の上面間にステージ棚板１３０が架設されてなる陳列棚１００がある。
【０００３】
図１０には、図９に示す従来の陳列棚１００の左側の脚部分を拡大した図が示されている。図１０に示すように、脚１１０の上面には、ステージ棚板１３０を支持する棚受け部材３００が取着される。この棚受け部材３００は、基片３０１の左右両端に当接片３０２、３０２を有しており、基片３０１の底面に形成される図示しない係合片を、脚１１０の上面に穿設された取付孔１１０ａに係合させて取着されている。そして、ステージ棚板１３０は、物品が載置される載置面部１３０ｂの側辺から下方に垂設される側壁部１３０ａを、棚受け部材３００の当接片３０２、３０２の間に嵌合させて、脚の上面に設置されている。このように、ステージ棚板１３０の側壁部１３０ａを棚受け部材３００の当接片３０２、３０２の間に嵌合させることで、ステージ棚板１３０が左右方向に移動することが防止されている。
【０００４】
しかしながら、上述した従来の陳列棚１００では、ステージ棚板１３０が前後方向に移動することは防止されていなかった。このため、例えば、ステージ棚板１３０に重量のある商品を載置した場合に、商品を引きずりながら手前に取り出そうとすると、ステージ棚板１３０が商品に引きずられて前方に移動してしまうことがあった。そこで、ステージ棚板が、前後方向にも移動することなく脚の上面に設置できるように、棚受け部材の当接片の上縁に上向きの突片を設けるとともに、棚板の下面から下方に向かって突出する垂下片を設け、この垂下片を前記突片に当接させながらステージ棚板を架設して、ステージ棚板が前後に移動することを防止した陳列棚が提案されている（特許文献１参照）。
【０００５】
ところが、上記した従来の陳列棚では、ステージ棚板の移動を防止するために棚受け部材を用いると、部品点数が増加してしまい、また、脚に棚受け部材を取り付けるための取付孔を設ける必要があることから、作製コストがかかっていた。さらに、陳列棚は、ステージ棚板を取り外した状態で使用する場合もあり、この場合に、棚受け部材を脚の上面から取り外してしまうと、脚の上面に取付孔が露出してしまい、陳列棚の美観を損ねることとなっていた。
【０００６】
一方、図１０に示すように、脚１１０の端部には、端面が露出して陳列棚１００の美観を損なわないようにするために、金属製の脚キャップ１２０が溶接によって固着される。しかし、このように脚１１０の端部に脚キャップ１２０を溶接してしまうと、例えば、ステージ棚板１３０を奥行きの長いものに変更する場合などには、ステージ棚板１３０の奥行き長さに合わせて脚１１０を長さのあるものに交換しなければならず、作業が非常に煩雑となっていた。
【０００７】
このような事情を鑑みて、脚の端部に継ぎ脚を連結して長さを変更できるように、脚の端部への着脱を自在に行えるようにした脚キャップが提案されている（特許文献２参照）。
【０００８】
【特許文献１】特開２００２−３３６０９８号公報
【特許文献２】特開平１１−２２１１３９号公報
【０００９】
【発明が解決しようとする課題】
そこで、本発明は、棚受け部材を別途用意しなくともステージ棚板を前後左右方向に移動しないように脚の上面に架設することができ、かつ、ステージ棚板を取り外して使用する場合であっても美観が損なわれない陳列棚を提供することを課題とするものである。
【００１０】
【課題を解決するための手段】
上記課題を解決するために、まず、請求項１に記載した発明が採った手段は、左右に立設される支柱１０１、１０１の下部から前方向若しくは前後両方向に延設される一対の脚１１０、１１０と、物品が載置される載置面部１３０ｂ及び載置面部１３０ｂの左右側辺から下方に垂設される側壁部１３０ａ、１３０ａを有し、一対の脚１１０、１１０の上面の間に架設されるステージ棚板１３０と、脚１１０の端部に取着される脚キャップ１２０とを備える陳列棚１００であって、ステージ棚板１３０の左右の側壁部１３０ａ、１３０ａには、下端から上方に向かって切り欠かれてなる係合溝１３１、１３１が形成され、脚キャップ１２０の上端には、脚キャップ１２０を脚１１０の端部に取着した状態で、脚１１０の上面より突出し、係合溝１３１と係合する突出凹部１２１が形成されていることを特徴とする陳列棚１００である。
【００１１】
この陳列棚１００は、脚１１０の端部に取り付けられる脚キャップ１２０の上端に形成した突出凹部１２１に、ステージ棚板１３０の側壁部１３０ａに形成した係合溝１３１を係合させることにより、ステージ棚板１３０が前後方向及び左右方向に移動することなく左右の脚１１０、１１０の上面間に架設できるようにしたものである。
このように、脚キャップ１２０に突出凹部１２１を形成するとともに、ステージ棚板１３０の側壁部１３０ａに係合溝１３１を形成したことで、従来の陳列棚のように、棚受け部材を別途用意する必要がなくなって部品点数を減らすことができるので、作製コストを低減することができる。また、脚１１０の上面に棚受け部材を取り付けるための加工を施す必要もないので、脚１１０の作製が容易になるとともに、ステージ棚板１３０を架設しない場合に、脚１１０の上面が露出しても美観を損ねることがない。
【００１２】
また、請求項２に記載した発明が採った手段は、脚１１０の端部近傍の上面及び下面に、それぞれ第一係合孔１１１ａ及び第二係合孔１１１ｂを穿設し、脚キャップ１２０の下端に係止片１２２を形成して、第一係合孔１１１ａに脚キャップ１２０の上端に形成される突出凹部１２１を係合するとともに、第二係合孔１１１ｂに係止片１２２を係合することにより、脚キャップ１２０を脚１１０の端部に取着するようにしたことを特徴とする請求項１に記載の陳列棚１００である。
【００１３】
このように、脚キャップ１２０の上端に形成した突出凹部１２１を、脚１１０の端部近傍の上面に穿設した第一係合孔１１１ａに係合させるとともに、脚キャップ１２０の下端に係止片１２２を形成し、この係止片１２２を、脚１１０の端部近傍の下面に穿設した第二係合孔１１１ｂに係合させて、脚キャップ１２０を脚１１０の端部に取着することによって、脚キャップ１２０を容易に脱落することなく取り付けることができるとともに、取り外しも簡単に行えるようになる。
【００１４】
また、請求項３に記載した発明が採った手段は、脚キャップ１２０は、ステージ棚板１３０を脚１１０の上面間に架設しない場合おいて、突出凹部１２１が脚１１０の上面より突出しないよう上下を逆にして脚１１０の端部に取着されることを特徴とする請求項１に記載の陳列棚１００である。
【００１５】
陳列棚１００には、左右の支柱１０１、１０１の下部から前方向若しくは前後両方向に延設される脚１１０、１１０の上面間にステージ棚板１３０が架設されるが、ステージ棚板１３０を取り外して使用することも可能である。ステージ棚板１３０を取り外して使用する場合に、脚キャップ１２０を、突出凹部１２１が脚１１０の上面より突出した状態で脚１１０の端部に取着しておくと、突出凹部１２１が露出して陳列棚１００の美観を損ねることとなる。
そこで、本請求項に係る陳列棚１００では、ステージ棚板１３０を架設しない場合には、脚キャップ１２０の上下を逆にして、突出凹部１２１が脚１１０の下面側に位置するように脚１１０の端部に取着することで、脚１１０の上面から脚キャップ１２０の突出凹部１２１が露出しないようにしている。これにより、ステージ棚板１３０を架設しない場合でも、陳列棚１００の美観をより良く保つことができる。
【００１６】
また、請求項４に記載した発明が採った手段は、脚１１０の端部近傍の上面及び下面に、それぞれ第一係合孔１１１ａ及び第二係合孔１１１ｂを穿設し、脚キャップ１２０の下端に係止片１２２を形成して、第一係合孔１１１ａと第二係合孔１１１ｂの何れか一方に脚キャップ１２０の上端に形成される突出凹部１２１を係合させ、他方に係止片１２２を係合させることにより、脚キャップ１２０を上下逆にして脚１１０の端部に選択的に取着するようにしたことを特徴とする請求項３に記載の陳列棚１００である。
【００１７】
この陳列棚１００は、脚キャップ１２０の上端に形成される突出凹部１２１及び脚キャップ１２０の下端に形成される係止片１２２のいずれにも係合しうる第一係合孔１１１ａと第二係合孔１１１ｂとを、脚１１０の端部近傍の上面及び下面にそれぞれ穿設して、脚キャップ１２０を上下逆にして脚１１０の端部に選択的に取着できるようにしたものである。すなわち、左右の脚１１０、１１０の上面間にステージ棚板１３０を架設する場合には、突出凹部１２１が脚１１０の上面から突出するように、突出凹部１２１を第一係合孔１１１ａに係合させるとともに、係止片１２２を第二係合孔１１１ｂに係合させて脚キャップ１２０を脚１１０の端部に取着することができ、一方、ステージ棚板１３０を架設しない場合には、突出凹部１２１が脚１１０の下面側に位置するように、突出凹部１２１を第二係合孔１１１ｂに係合させるとともに、係止片１２２を第一係合孔１１１ａに係合させて取着することができるようになる。これにより、ステージ棚板１３０を架設する場合としない場合とに応じて、脚キャップ１２０の上下向きを変更して取着できるようになる。
【００１８】
また、請求項５に記載した発明が採った手段は、脚キャップ１２０の前面には、キックプレート１４０を取り付けるためのキックプレート係止部１２３が穿設されていることを特徴とする請求項１から４のいずれかに記載の陳列棚１１０である。
【００１９】
脚キャップ１２０の前面にキックプレート係止部１２３を設けることで、陳列棚１００の前面下部にキックプレート１４０を取り付け可能となる。そして、キックプレート１４０を取り付けることで、陳列棚１００の下部を保護できるとともに、美観性を高めることができる。
【００２０】
【発明の実施の形態】
以下、本発明の実施の形態を図に基づいて説明する。
（実施例１）
図１には、本実施例に係る陳列棚１００が示されている。本実施例に係る陳列棚１００は、図１に示すように、左右に支柱１０１、１０１が立設され、この左右の支柱１０１、１０１の下部から、それぞれ脚１１０、１１０が前方向に向かって延設されている。そして、左右の支柱１０１、１０１の前面には、棚板１４０が二段に取り付けられ、左右の脚１１０、１１０の上面間には、ステージ棚板１３０が架設されている。
【００２１】
図２には、本実施例に係る陳列棚１００の左側下部を分解した図が示されている。脚１１０は、中空に形成されており、端部が開口している。そして、端部近傍の上面及び下面には、それぞれ、次に詳述する脚キャップ１２０に形成される突出凹部１２１が係合される第一係合孔１１１ａと、係止片１２２が係合される第二係合孔１１１ｂとが穿設されている。
【００２２】
脚キャップ１２０は、脚１１０の端部に取り付けられて、その開口を閉塞する金属製の部材である。脚キャップ１２０は、上端及び下端が屈曲して、側面視略コの字型に形成されている。脚キャップ１２０の上端には、正面視凹型に形成された突出凹部１２１が上方に向かって突設されている。この突出凹部１２１は、凹型の左右の突出部分からなる当接部１２１ａ、１２１ａと、左右の当接部１２１ａ、１２１ａの間に位置する凹型の窪み部分であって、左右の当接部１２１ａ、１２１ａより短く突出してなる係合部１２１ｂとからなる。一方、脚キャップ１２０の下端には、前下方に向かって突出してなる係止片１２２が形成されている。
【００２３】
ステージ棚板１３０は、物品が載置される載置面部１３０ｂと、載置面部１３０ｂの側辺から下方に垂設されてなる側壁部１３０ａを有している。そして、側壁部１３０ａには、下端から上方に切り欠かれてなり、ステージ棚板１３０を左右の脚１１０、１１０の上面間に架設する際に、脚１１０の上面から突出する突出凹部１２１の係合部１２１ｂと係合する係合溝１３１が形成されている。係合溝１３１は、突出凹部１２１の係合部１２１ｂの突出長さとほぼ等しい深さに形成されている。
【００２４】
図３には、脚キャップ１２０を脚１１０の端部に取り付ける方法を説明している。脚キャップ１２０を、脚１１０に取り付けるには、まず、図３（ｉ）に示すように、脚キャップ１２０の上端側を端部に挿入して、脚１１０の内側から、突出凹部１２１を第一係合孔１１１ａに係合させる。次いで、図３（ｉｉ）に示すように、突出凹部１２１と第一係合孔１１１ａとの係合を維持したまま、脚キャップ１２０の下端を脚１１０の内部に向かって押し込んでいくと、図３（ｉｉｉ）示すように、最終的に係止片１２２が第二係合孔１１１ｂに係合して、脚キャップ１２０が脚１１０の端部に取着されることとなる。このとき、突出凹部１２１は、脚１１０の上面より突出する。
一方、脚キャップ１２０を脚１１０から取り外す場合には、係止片１２２を押し込んで、係止片１２２と第二係止孔１１１ｂとの係合を解除し、脚キャップ１２０を引き抜くことによって簡単に取り外すことができる。
【００２５】
図４には、ステージ棚板１３０が脚１１０の上面に載置された状態を拡大して示している。図４に示すように、ステージ棚板１３０を載置する際には、ステージ棚板１３０の側壁部１３０ａに形成される係合溝１３１を、脚１１０の上面より突出する突出凹部１２１の係止部１２１ｂに係合させる。このように、係合溝１３１を突出凹部１２１の係止部１２１ｂに係合させてステージ棚板１３０を設置することにより、ステージ棚板１３０が前後方向及び左右方向に移動することを防止することができる。すなわち、係合溝１３１が突出凹部１２１の係止部１２１ｂと係合することにより、ステージ棚１３０の前後方向への移動が規制され、ステージ棚板１３０の側壁部１３０ａの外側面及び内側面が、それぞれ突出凹部１２１の当接部１２１ａ、１２１ａと当接することによって、ステージ棚板１３０の左右方向への移動が規制されるのである。
【００２６】
図５には、ステージ棚板１３０を取り外した状態における陳列棚１００の左側下部を拡大した図が示されている。ステージ棚板１３０を設置して使用する場合には、脚キャップ１２０は、上述したように、突出凹部１２１が脚１１０の上面より突出するように取着される。しかし、ステージ棚板１３０を設置しない場合には、突出凹部１２１は不要となるとともに、また、ステージ棚板１３０を取り外すと、突出凹部１２１が脚１１０の上面に露出して美観を損ねる原因となる。そこで、ステージ棚板１３０を取り外した場合には、脚キャップ１２０を上下逆にして脚１１０の端部に取着する。すなわち、脚１１０の上面に形成される第一係合孔１１１ａに、脚キャップ１２０の下端に形成される係止片１２２を係合させ、脚１１０の下面に形成される第二係合孔１１１ｂに脚キャップ１２０の上端に形成される突出凹部１２１を係合させて、脚１１０の端部に取着するのである。このように、脚キャップ１２０を上下逆にして取着することで、突出凹部１２１を脚１１０の上面から突出させずに脚キャップ１２０を脚１１０の端部に取着することができる。
（実施例２）
図６には、本実施例に係る陳列棚１００が示されており、図７には、本実施例に係る陳列棚１００の左側下部を分解した図が示されている。本実施例に係る陳列棚１００は、実施例１の陳列棚１００に改良を加えたものであって、陳列棚１００の前面下部にキックプレート１４０を取り付けられるように、脚キャップ１２０にキックプレート係止部１２３を設けたものである。
従って、ここでは、脚キャップ１２０に形成されるキックプレート係止部１２３について詳述することとし、その他の構成についての説明は省略する。
【００２７】
図６及び図７に示すように、キックプレート１４０は、ステージ棚板１３０の前方下部に配設されるものであり、その左右両端には、フック１４１が後方に向かって突設されている。
【００２８】
一方、脚キャップ１２０の前面には、図７に示すように、キックプレート係止部１２３が形成されている。このキックプレート係止部１２３に、キックプレート１４０のフック１４１が係止されることで、キックプレート１４０を左右の脚１１０、１１０の端部の間に架設できるようになる。
【００２９】
キックプレート係止部１２３は、キックプレート係止孔１２３ａと、キックプレート係止溝１２３ｂとからなる。キックプレート係止孔１２３ａは、脚キャップ１２０の前面のやや上端側に穿設されており、ステージ棚板１３０を脚１１０の上面に架設したときにキックプレート１４０のフック１４１が係止されるものである。一方、キックプレート係止溝１２３ｂは、脚キャップ１２０の前面下端を上方に向かって切り欠いて形成されており、ステージ棚板１３０を脚１１０の上面に架設しない場合にキックプレート１４０のフック１４１が係止されるものである。
このように、キックプレート係止部１２３を、キックプレート係止孔１２３ａと、キックプレート係止溝１２３ｂとから形成することで、脚キャップ１２０の上下向きにかかわらず、キックプレート１４０を適切な高さ位置に取着することが可能となる。
【００３０】
なお、本発明に係る陳列棚は、上記実施例１及び２に示した形態に限定されるものではなく、例えば、脚キャップを金属に代えてプラスチックで作製してもよいし、また、突出凹部を脚の第一係止孔及び第二係合孔に係合させて脚キャップを脚の端部に取着することに代えて、脚キャップの上端に、突出凹部とは別に係止片を設けて、これを第一係合孔及び第二係合孔に係合させて脚キャップを脚の端部に取着するようにしてもよい。
【発明の効果】
請求項１に記載の陳列棚によれば、脚の端部に取り付けられる脚キャップの上端に形成される突出凹部と、ステージ棚板の側壁部に形成される係合溝とを係合させて、ステージ棚板を左右の脚の上面間に架設するようにしたことによって、ステージ棚板を前後方向及び左右方向に移動することを防止することができる。これにより、例えば、ステージ棚板上に載置されている物品を取り出す場合や、ステージ棚板に足を引っかけたような場合であっても、ステージ棚板がズレることがなくなる。
また、ステージ棚板を固定するための別部材を用意する必要がないため、部品点数が減って作製コストを低減することができる。また、脚に、前記別部材を取り付けるための取付孔を穿設する必要もないので、脚の作製が容易となるとともに、ステージ棚板１３０を架設しない場合に、脚１１０の上面が露出しても美観が損なわれることがない。
【００３１】
請求項２に記載の陳列棚によれば、請求項１に記載の陳列棚の効果に加えて、脚の上面に穿設される第一係合孔に、脚キャップの上端に形成される突出凹部を係合させ、脚の下面に穿設される第二係合孔に、脚キャップの下端に形成される係止片を係合させて、脚キャップを脚の端部に取着するようにしたことにより、脚キャップを容易かつ強固に取着することができ、また、脚からの取り外しも簡単に行うことができる。
【００３２】
請求項３に記載の陳列棚によれば、請求項１に記載の脚キャップの効果に加えて、脚キャップを上下逆にして脚の端部に取着できるようにしたことにより、突出凹部を脚の上面から突出させずに、脚キャップを脚の端部に取着することができるようになる。これによって、ステージ棚板を架設しない場合に、突出凹部が脚の上面に露出することがなるので、美観をより良くすることができる。
【００３３】
請求項４に記載の陳列棚によれば、請求項３に記載の陳列棚の効果に加えて、脚の端部近傍の上面及び下面に、それぞれ形成される第一係合孔と第二係合孔の何れか一方に脚キャップの上端に形成される突出凹部を係合させ、他方に前記係止片を係合させて、脚キャップを上下を逆にして脚の端部に選択的に取着できるようにしたことにより、ステージ棚板を左右の脚の上面間に架設する場合としない場合とに応じて、脚キャップの上下向きを容易に変更することができる。
【００３４】
請求項５に記載の陳列棚によれば、請求項１から４のいずれかに記載の陳列棚の効果に加えて、脚キャップの前面にキックプレート係止部を設けたことによって、陳列棚にキックプレートを取り付けることができるようになる。そして、キックプレートが陳列棚に取り付けられることによって、棚の前面下部を保護できるとともに、美観を向上させることができる。
【００３５】
【図面の簡単な説明】
【図１】実施例１に係る陳列棚の斜視図である。
【図２】実施例１に係る陳列棚の左側下部を拡大した分解斜視図である。
【図３】実施例１に係る陳列棚の脚に、取り付ける方法を説明する側面図である。
【図４】実施例１に係る陳列棚の脚の上面にステージ棚板を設置した状態示す斜視図である。
【図５】実施例１に係る陳列棚において、ステージ棚板を設置しない場合の陳列棚の左側下部を拡大した斜視図である。
【図６】実施例２に係る陳列棚の斜視図である。
【図７】実施例２に係る陳列棚の左側下部を拡大した分解斜視図である。
【図８】実施例１に係る陳列棚において、ステージ棚板を設置しない場合の陳列棚の左側下部を拡大した斜視図である。
【図９】従来の陳列棚の斜視図である。
【図１０】従来の陳列棚の左側下部を拡大した斜視図である。
【符号の説明】
１００    陳列棚
１０１    支柱
１１０    脚
１２０    脚キャップ
１２１    突出凹部
１２２    係止片
１２３    キックプレート係止部
１３０    ステージ棚板
１３０ａ  側壁部
１３０ｂ  載置面部
１３１    係合溝
１４０    キックプレート
【図１】
2005046250.tif 000003
【図２】
2005046250.tif 000004
【図３】
2005046250.tif 000005
【図４】
2005046250.tif 000006
【図５】
2005046250.tif 000007
【図６】
2005046250.tif 000008
【図７】
2005046250.tif 000009
【図８】
2005046250.tif 000010
【図９】
2005046250.tif 000011
【図１０】
2005046250.tif 000012